(57)【要約】【課題】要介護者等の体格や身体状況に合った床板長の調整を簡易に行うことができ、これをもって、製品管理の省力化を実現する。【解決手段】複数の係合ピン２４のうち、要介護者等の体格や身体状況に合った所要位置の係合ピン２４が係合受け部３１のスリット３１ａに差し込み係合された状態で、当該係合受け部３１を支点として支持フレーム２１の上側壁２１ｂに第１突当部３３が突き当たる。これによって、頭部側延出部材２３及び脚部側延出部材２５のそれぞれが支持フレーム２１に対して床板長を調整自在に取り付けられる。【選択図】図４
2010246734.tif 000002
【特許請求の範囲】
【請求項１】
支持フレームの立側壁に、長手方向に間隔を置いて複数の係合ピンを設け、
前記支持フレームに取り付けられる延出部材に、前記係合ピンを収容可能なスリットを有する係合受け部と、前記支持フレームの上側壁に突き当たる突当部と、をそれぞれ設け、
前記複数の係合ピンのうち所要位置の係合ピンが前記係合受け部のスリットに係合された状態で、当該係合受け部を支点として前記支持フレームの上側壁に前記突当部が突き当たることによって、前記支持フレームに前記延出部材が床板長を調整自在に取り付けられる、
ことを特徴とするベッドの床板長調整機構。
【請求項２】
請求項１記載のベッドの床板長調整機構であって、
前記支持フレームの上側壁に、前記複数の各係合ピンに対して前記長手方向にずらせて位置決めピンを設け、
前記突当部に、前記位置決めピンが貫通可能な長孔を設けた、
ことを特徴とするベッドの床板長調整機構。
【請求項３】
請求項１又は２記載のベッドの床板長調整機構であって、
前記係合ピンは、その頭部に略円板形状の係合案内部を有する、
ことを特徴とするベッドの床板長調整機構。
【請求項４】
請求項１〜３のいずれか一項に記載のベッドの床板長調整機構であって、
前記延出部材は、前記突当部から前記長手方向に間隔を置いた位置に、前記支持フレームの上側壁に突き当たる他の突当部を有する、
ことを特徴とするベッドの床板長調整機構。
【発明の詳細な説明】
【技術分野】
【０００１】
本発明は、例えば介護用等の用途に用いられるベッドに係り、特に、要介護者等の体格や身体状況に合った床板長の調整を簡易に行うことができ、これをもって、製品管理の省力化を実現可能なベッドの床板長調整機構に関する。
【背景技術】
【０００２】
近年の高齢化や核家族化の進展等によって、要介護者を社会全体で支える仕組みとして介護保険制度が導入された。この介護保険制度の施行に伴って、自宅又は介護施設等において介護用ベッドを利用する機会が増大してきている。
【０００３】
ところが、介護用ベッドを利用する要介護者の体格や身体状況は多様である。例えば、標準的な大きさの介護用ベッドを体格の大きい要介護者が利用する場合、快適な横臥姿勢をとることができず、寝心地が悪いという問題がある。
【０００４】
こうした課題を解決するために、体格の大きい要介護者等の体格に合わせて最適な横臥姿勢を維持し得るように調整することができ、特に、ベッドの全体の床板長のみならず、部分的な床板長の調整、例えば、大腿を支える延出部材の長さを調整して大腿、下腿の浮きや圧迫を少なくするためのベッドの床板長の調整機構が提案されている（例えば特許文献１参照）。
【０００５】
ところで、特許文献１に開示されているようなベッドの床板長調整を、例えばその設置時に簡易に行うことができれば、複数のサイズバリエーションに係るベッドをラインナップした上で、それらを在庫として持つことが不要になるから、製品管理上の省力化を実現可能であろうことは想像に難くない。
【０００６】
しかるに、そうしたアプローチは一切されてこなかったのが現状である。
【特許文献１】特開２００１−２９９８２６号公報
【発明の開示】
【発明が解決しようとする課題】
【０００７】
解決しようとする問題点は、従来技術では、要介護者等の体格に合ったベッドを供給するには、複数のサイズバリエーションに係るベッドをラインナップした上で、それらを在庫として持つことを要し、製品管理が煩雑であった点である。
【課題を解決するための手段】
【０００８】
本発明に係るベッドの床板長調整機構は、要介護者等の体格や身体状況に合わせて床板長の調整を簡易に行わせることを通じて、製品管理の省力化を実現することを目的として、支持フレームの立側壁に、長手方向に間隔を置いて複数の係合ピンを設け、前記支持フレームに取り付けられる延出部材に、前記係合ピンを収容可能なスリットを有する係合受け部と、前記支持フレームの上側壁に突き当たる突当部と、をそれぞれ設け、前記複数の係合ピンのうち所要位置の係合ピンが前記係合受け部のスリットに係合された状態で、当該係合受け部を支点として前記支持フレームの上側壁に前記突当部が突き当たることによって、前記支持フレームに前記延出部材が床板長を調整自在に取り付けられる、ことを最も主要な特徴とする。
【発明の効果】
【０００９】
本発明に係るベッドの床板長調整機構では、複数の係合ピンのうち、要介護者等の体格や身体状況に合った所要位置の係合ピンが係合受け部のスリットに係合された状態で、当該係合受け部を支点として支持フレームの上側壁に突当部が突き当たることによって、支持フレームに延出部材が床板長を調整自在に取り付けられる。
【００１０】
従って、要介護者等の体格や身体状況に合った床板長の調整を簡易に行うことが可能となる結果として、製品管理の省力化を実現することができる。
【図面の簡単な説明】
【００１１】
【図１】図１は、標準サイズに係るベッドの寝台部を示す説明図であり、図１（Ａ）は、同寝台部の平面図、図１（Ｂ）は、同寝台部の側面図である。
【図２】図２は、ロングサイズに係るベッドの寝台部を示す説明図であり、図２（Ａ）は、同寝台部の平面図、図２（Ｂ）は、同寝台部の側面図である。
【図３】図３は、支持フレームと、この支持フレームに取り付けられる延出部材と、からなる寝台支持部を示す説明図であり、図３（Ａ）は、同寝台支持部の平面図、図３（Ｂ）は、同寝台支持部の側面図である。
【図４】図４は、支持フレームに対する延出部材の取付部を示す要部斜視説明図である。
【図５】図５は、標準サイズに係るベッドの寝台支持部を示す説明図であり、図５（Ａ）は、同寝台支持部の平面図、図５（Ｂ）は、同寝台支持部の側面図である。
【図６】図６は、ロングサイズに係るベッドの寝台支持部を示す説明図であり、図６（Ａ）は、同寝台支持部の平面図、図６（Ｂ）は、同寝台支持部の側面図である。
【発明を実施するための形態】
【００１２】
要介護者等の体格や身体状況に合わせて床板長の調整を簡易に行わせることを通じて、製品管理の省力化を実現するといった目的を、複数の係合ピンのうち、要介護者等の体格や身体状況に合った所要位置の係合ピンが係合受け部のスリットに係合された状態で、当該係合受け部を支点として支持フレームの上側壁に突当部が突き当たることによって、支持フレームに延出部材が床板長を調整自在に取り付けられるベッドの床板長調整機構によって実現した。
【実施例】
【００１３】
以下、本発明実施例に係るベッドの床板長調整機構について、図面を参照しつつ詳細に説明する。
【００１４】
［ベッドの寝台部に係る概略構成］
図１は、標準サイズに係るベッドの寝台部を示す説明図、図２は、ロングサイズに係るベッドの寝台部を示す説明図である。
【００１５】
図１及び図２に示すように、本発明実施例に係る介護用ベッド１１は、要介護者が身体を横たえるための寝台部１３と、この寝台部１３を下方から支持する後述の寝台支持部１９と、を備えて構成されている。なお、図１及び図２中では図示を省略しているが、実使用時には、寝台部１３にはマットが敷設される。
【００１６】
寝台部１３は、要介護者の上半身部位に対応する第１床板部１３ａと、その腰部付近に対応する第２床板部１３ｂと、その大腿部から膝部付近に対応する第３床板部１３ｃと、その膝部付近から足先部に対応する第４床板部１３ｄと、に分割して構成されている。第１乃至第４床板部１３ａ〜１３ｄのそれぞれには、要介護者の身体を確実にかつ柔らかく支持するためのクッションワイヤＷが縦横に張架されている。なお、第４床板部１３ｄのクッションワイヤＷは、説明の都合上、その図示が省略されている。
【００１７】
第１床板部１３は、ベッド１１の長手方向に沿って一対の部分１３ａ１，１３ａ２に分割されている。これら一対の部分１３ａ−１，１３ａ−２間を接続するために、その側部には、取付ブラケット１４が取り付けられている。この取付ブラケット１４は、一対の各部分１３ａ−１，１３ａ−２間の間隔を調整した状態で共締めされる。これにより、各部分１３ａ−１，１３ａ−２間の間隔調整を行うことができる。
【００１８】
第１床板部１３は、寝台支持部側の第１軸部１５ａを支点として、不図示の電動駆動機構によって、その自由端側が起伏自在に構成されている。これにより、要介護者は、第１床板部１３ａに上半身を預けた状態で起立姿勢をとることができる。
【００１９】
第２床板部１３ｂ、第３床板部１３ｃの各々は、寝台支持部側の第２軸部１５ｂ、又は第３軸部１５ｃにそれぞれ軸支されている。
【００２０】
第３床板部１３ｃ、及び第４床板部１３ｄの各々は、共通の第４軸部１５ｄを介して連結されており、同第４軸部１５ｄは、不図示の電動駆動機構によって、山型にせり上がり得る構成とされている。これにより、要介護者は、膝裏部位を前記山型のせり上がり部分に預けることによって、腰への負担を軽減し得る安楽姿勢を採ることができる。
【００２１】
なお、第３床板部１３ｃ、及び第４床板部１３ｄの間を連結するためのヒンジ機構として、特開２００１−２９９８２６号公報に開示された床板長調整機構を採用することができる。具体的には、第３床板部の中空アーム１３ｃと、第４床板部の中空アーム１３ｄとを、共通の第４軸部１５ｄを有するヒンジ機構１７を介して連結する。このヒンジ機構１７は、第４軸部１５ｄを介して一対のヒンジアーム１７ａ，１７ｂを備えて構成されている。
【００２２】
一対のヒンジアーム１７ａ，１７ｂと、第３床板部の中空アーム１３ｃ、第４床板部の中空アーム１３ｄのそれぞれには、長手方向に沿って複数の通孔が整列配置されている。これら一対のヒンジアーム１７ａ，１７ｂを、第３床板部の中空アーム１３ｃ、第４床板部の中空アーム１３ｄのそれぞれに対し、適宜の調整位置まで挿入する。
【００２３】
このとき、ヒンジアーム１７ａに開設された通孔と、第３床板部の中空アーム１３ｃに開設された通孔と、を位置合わせした状態で、ヒンジアーム１７ａと中空アーム１３ｃとをネジによって共締めする。同様に、ヒンジアーム１７ｂに開設された通孔と、第４床板部の中空アーム１３ｄに開設された通孔と、を位置合わせした状態で、ヒンジアーム１７ｂと中空アーム１３ｄとをネジによって共締めする。
【００２４】
これにより、第３床板部１３ｃと、第４床板部１３ｄとの間を、ヒンジ機構１７を介して任意の間隔を置いて連結することが可能となり、要介護者の下半身側における床板長を所要の長さに調整することができる。
【００２５】
次に、寝台支持部１９について説明する。
【００２６】
［ベッドの寝台支持部に係る概略構成］
図３は、寝台支持部の構成部材を示す説明図、図４は、支持フレームに対する延出部材の取付部を示す要部斜視説明図、図５は、標準サイズに係るベッドの寝台支持部を示す説明図、図６は、ロングサイズに係るベッドの寝台支持部を示す説明図である。
【００２７】
図３に示すように、介護用ベッド１１の寝台支持部１９は、略矩形形状の支持フレーム２１と、この支持フレーム２１に対して着脱自在に取り付けられる一対の頭部側延出部材２３及び脚部側延出部材２５と、から構成されている。支持フレーム２１、頭部側延出部材２３、及び脚部側延出部材２５のそれぞれは、その断面が矩形形状に形成された鋼材よりなる。
【００２８】
支持フレーム２１と、一対の延出部材２３，２５と、の各間には、介護ベッド１１の床板長を簡易な手順で所要の長さに調整可能な床板長調整機構２７（図３の点線の円で示す箇所参照）が、都合４箇所設けられている。
【００２９】
この床板長調整機構２７は、次のように構成されている。なお、前記４箇所の床板長調整機構２７は、いずれも共通の構造である。そこで、図３（Ａ）の目印を付した箇所に着目して、床板長調整機構２７の説明を進めることとする。
【００３０】
すなわち、図３及び図４に示すように、支持フレーム２１における外方側部側の立側壁２１ａのそれぞれに、長手方向に間隔を置いて複数の係合ピン２４を設ける。
【００３１】
また、支持フレーム２１に取り付けられる延出部材２３側のクロスフレーム２９に、係合ピン２４を収容可能なスリット３１ａを有する係合受け部３１と、支持フレーム２１の上側壁２１ｂに突き当たる第１突当部３３と、をそれぞれ設ける。
【００３２】
係合ピン２４の脚部２４ａの高さ寸法は、係合受け部３１の板厚よりも僅かに大きく形成されている。また、係合ピン２４の脚部２４ａの外径寸法は、スリット３１ａの開口長よりも僅かに小さく形成されている。
【００３３】
そして、前記複数の係合ピン２４のうち、要介護者等の体格や身体状況に適合した所要位置の係合ピン２４が係合受け部３１のスリット３１ａに差し込み係合された状態で、当該係合受け部３１を支点として支持フレーム２１の上側壁２１ｂに第１突当部３３が突き当たることによって、頭部側延出部材２３が支持フレーム２１に対して床板長を調整自在に取り付けられる。
【００３４】
上記と同様に、脚部側延出部材２５が支持フレーム２１に対して床板長を調整自在に取り付けられる。
【００３５】
例えば、標準的な体格の要介護者用に介護用ベッド１１を設置するにあたっては、図５に示すように、標準サイズに係るベッドの寝台部１３（図１参照）を下方から過不足なく適切に支持可能な寝台支持部１９を実現するために、前記複数の係合ピン２４のうち、標準的な体格に合った位置の係合ピン２４が係合受け部３１のスリット３１ａに差し込み係合された状態で、当該係合受け部３１を支点として支持フレーム２１の上側壁２１ｂに第１突当部３３が突き当たることによって、頭部側延出部材２３及び脚部側延出部材２５のそれぞれが、支持フレーム２１に対して床板長を調整自在に取り付けられる。
【００３６】
これに対し、例えば、標準よりも大きい体格の要介護者用に介護用ベッド１１を設置するにあたっては、図６に示すように、ロングサイズに係るベッドの寝台部１３（図２参照）を下方から過不足なく適切に支持可能な寝台支持部１９を実現するために、前記複数の係合ピン２４のうち、標準よりも大きい体格に合った位置の係合ピン２４が係合受け部３１のスリット３１ａに差し込み係合された状態で、当該係合受け部３１を支点として支持フレーム２１の上側壁２１ｂに第１突当部３３が突き当たることによって、頭部側延出部材２３及び脚部側延出部材２５のそれぞれが、支持フレーム２１に対して床板長を調整自在に取り付けられる。
【００３７】
ここで、従来技術では、要介護者等の体格に合ったベッドを供給するには、複数のサイズバリエーションに係るベッドをラインナップした上で、それらを在庫として持つことを要し、製品管理が煩雑であった。
【００３８】
これに対し、本発明実施例に係る介護用ベッド１１の床板長調整機構２７によれば、要介護者等の体格や身体状況に合った床板長の調整を簡易に行うことが可能となる結果として、製品管理の省力化を実現することができる。
【００３９】
なお、上述した床板長調整機構２７の構成に加えて、支持フレーム２１における上側壁２１ｂに、複数の各係合ピン２４に対して長手方向に位置をずらせて複数の位置決めピン３５を設け、第１突当部３３に、同位置決めピン３５が貫通可能な長孔３７を設ける、構成を採用してもよい。
【００４０】
このように構成すれば、頭部側延出部材２３又は脚部側延出部材２５が支持フレーム２１に取り付けられた状態で、仮に、頭部側延出部材２３に幅方向への力が加えられたとしても、位置決めピン３５が長孔３７に係合しているので、上記幅方向の力をしっかりと受け止めることができる。従って、幅方向への力を受け止めてこれに対抗できるといった点で、幅方向の剛性に優れた床板長調整機構を実現することができる。
【００４１】
さらに、上述した床板長調整機構２７の構成に加えて、係合ピン２４は、その頭部に略円板形状の係合案内部２４ｂを有する、構成を採用してもよい。
【００４２】
このように構成すれば、複数の係合ピン２４のうち、要介護者等の体格等に合った所要位置の係合ピン２４めがけて、係合受け部３１のスリット３１ａを係合させる作業を試みる際に、係合案内部２４ａの存在が、係合受け部３１のスリット３１ａへの係合ピン２４の係合を案内補助するように機能するので、上記作業を円滑に遂行することができる。
【００４３】
従って、所要位置の係合ピン２４めがけて、係合受け部３１のスリット３１ａを係合させる作業を円滑に遂行できるといった点で、作業性に優れた床板長調整機構を実現することができる。
【００４４】
そして、頭部側延出部材２３又は脚部側延出部材２５は、第１突当部３３からベッド１１の長手方向に所定の間隔を置いた位置に、支持フレーム２１の角部上側壁に突き当たる第２突当部３９を有する、構成を採用してもよい。
【００４５】
このように構成すれば、第１突当部３３及び第２突当部３９の両者が支持フレーム２１に突き当たることによって、支持フレーム２１に対する頭部側延出部材２３及び脚部側延出部材２５の支持力を増大させることができる。
【００４６】
従って、要介護者の身体を下方からしっかりと受け止め得る寝台支持部１９を実現することができる。
【００４７】
［その他］
本発明は、上述した実施例に限られるものではなく、請求の範囲及び明細書全体から読み取れる発明の要旨、あるいは技術思想に反しない範囲で適宜変更可能であり、そのような変更を伴うベッドの床板長調整機構もまた、本発明における技術的範囲の射程に包含されるものである。
【００４８】
すなわち、本発明実施例の説明において、介護用ベッドを例示して説明したが、本発明はこうした例に限定されることなく、支持フレームを有するあらゆる種類のベッドに適用することができる。
【００４９】
最後に、本発明実施例において、介護用ベッド１１における要介護者の頭部側及び脚部側の両者に、床板長調整機構２７を設ける例をあげて説明したが、本発明はこの例に限定されることなく、上記の例に代えて、介護用ベッド１１における要介護者の頭部側又は脚部側のいずれか一方のみに、床板長調整機構２７を設ける構成を採用しても良いことは言うまでもない。
【符号の説明】
【００５０】
１１  介護用ベッド
１３  寝台
１３ａ  第１床板部
１３ｂ  第２床板部
１３ｃ  第３床板部（中空アーム）
１３ｄ  第４床板部（中空アーム）
１５ａ  第１軸部
１５ｂ  第２軸部
１５ｃ  第３軸部
１５ｄ  第４軸部
１７  ヒンジ機構
１７ａ，１７ｂ  一対のヒンジアーム
１９  寝台支持部
２１  支持フレーム
２１ａ  立側壁
２１ｂ  上側壁
２３  頭部側延出部材（延出部材）
２４  複数の係合ピン
２４ａ  係合ピンの脚部
２４ｂ  係合ピンの頭部
２５  脚部側延出部材（延出部材）
２７  床板長調整機構
２９  クロスフレーム
３１  係合受け部
３１ａ  スリット
３３  第１突当部（突当部）
３５  位置決めピン
３７  長孔
３９  第２突当部（他の突当部）
Ｗ  クッションワイヤ
【図１】
2010246734.tif 000003
【図２】
2010246734.tif 000004
【図３】
2010246734.tif 000005
【図４】
2010246734.tif 000006
【図５】
2010246734.tif 000007
【図６】
2010246734.tif 000008